(57)【要約】
【課題】殻体等に中空の弾性体を用いてネックレスチェーン上を自由に摺動ができ、且つ、任意の場所にて係止させることによりネックレスチェーンの輪体の大きさを変えられる構造の金具において、中空の弾性体の破損、摩耗等の修理が発生した場合の交換を容易にし、デザイン性を向上させ、また、着用時の金具の位置ズレによる見た目の悪さを解消した、ズレ低減効果を持ち合わせた金具の提供を目的とする。
【解決手段】本考案は、Ｏリング又は、弾性体の環６を収納する枠２ａ、２ｂを平行に設けて開放形状にし、そして、前記枠２ａ、２ｂと、接続環部４を一体で形成し、Ｏリング又は、弾性体の環６の外径寸法を枠２ａ、２ｂの外径寸法より大きくしたことを特徴とする。
【選択図】図１
　　　　　　　　　　　　　　　　　　　　　　　　　　
0003099456.tif 000002
【実用新案登録請求の範囲】
【請求項１】
　ネックレスチェーン２０上を自由に摺動ができ、且つ、任意の場所にて係止できることにより、ネックレスチェーン２０の輪体の大きさを容易に変える事が可能な機構を持ち合わせたスライド金具において、スライド金具本体１は、Ｏリング又は、弾性体の環６を配設しても貫通しない枠２ａ、２ｂを平行に設け、前記枠２ａ、２ｂと一体となった接続環部４で形成し、枠２ａ、２ｂの間にＯリング又は弾性体の環６を配設し、枠２ａと、Ｏリング又は、弾性体の環６と、枠２ｂを貫通したネックレスチェーン２０がＯリング又は、弾性体の環６との摩擦によりスムーズに摺動し任意の場所にて係止できることを特徴としたスライド金具。
【請求項２】
　Ｏリング又は、弾性体の環６の外径寸法は、枠２ａ、２ｂの外径寸法より大きくして、ネックレスチェーン着用中に金具の位置ズレを低減できることを特徴とした請求項１記載のスライド金具。
【考案の詳細な説明】
【技術分野】
【０００１】
　本考案は、ネックレスチェーンの輪体の大きさを容易に変えられ、且つ、ネックレスチェーン着用中に金具のズレを低減する金具に関するものである。
【背景技術】
【０００２】
　ネックレスチェーンの輪の大きさを自在に変えることができる構造の金具において、中空体の丸玉パーツを用いて、中空の弾性体を殻体の中に配設したものが提案されているが、中空の弾性体の挿入方法として、あらかじめパイプの中に弾性材チューブを入れ、前記パイプを金型にてプレスして中空体の丸玉を形成し、前記丸玉の中に中空の弾性材を有するもの（例えば特許文献１参照。）。
また、図６に示す中空体の丸玉１０を用いた金具はチェーン挿入孔１２ａ又は、１２ｂより中空の弾性体１１を挿入する方法で提案されている（例えば特許文献２参照。）。
【０００３】
　しかし、長年の使用に際して、中空体の丸玉１０からの中空の弾性体１１の抜けによる再挿入、また、中空体の中が汗等による汚れでの交換も発生している。そして、摺動の磨耗による破損等の修理が発生した場合、中空の弾性体１１の除去及び、挿入技術が難しく、交換に時間を要する欠点があった。また、引輪金具１３に接続する為の接続輪環１７のロウ付け作業も技術的に難しい問題があった。
【０００４】
　さらに、ネックレスチェーン着用中に金具がズレ回り、身体の前面等に位置した場合には見た目にも悪く、身体や首の動きによっては頻繁に金具位置を直して着用しているのが現状である。
【０００５】
　その改善策として、金具に連結したチェーンの両端部部分にゴムを装着し、ズレ防止効果をもたせた方法が提案されているが、金具が首の背面に位置しているとは言え、ネックレスチェーン全体のデザイン性が損なわれる欠点があった（特許文献３参照。）。
【特許文献１】特許第３１３４２２４号公報
【特許文献２】特許第３３６７６５１号公報
【特許文献３】公開特許２００３−１０２５２３号広報
【考案の開示】
【考案が解決しようとする課題】
【０００６】
　解決しようとする問題点は、Ｏリング又は、弾性体の環６の挿入技術が難しく、前記Ｏリング又は、弾性体の環６の破損等の修理が発生した場合に容易に交換ができる構造にする。
【０００７】
　また、引輪金具１３に接続する為の接続環部４のロウ付け作業を省き、デザイン性を向上させ、着用中に金具のズレ低減効果を持ち合わせたスライド金具を提供することを目的とした。
【課題を解決するための手段】
【０００８】
　本考案は、Ｏリング又は、弾性体の環６を収納する枠２ａ、２ｂを平行に設けて開放形状にして、前記枠２ａ、２ｂと、接続環部４を一体で形成、そして、Ｏリング又は、弾性体の環６の外径寸法を枠２ａ、２ｂの外径寸法より大きくしたことを特徴とする。
【考案の効果】
【０００９】
　本考案のスライド金具本体１は枠２ａ、２ｂと、接続環部４を一体で形成し、構造を単純にしたことにより、Ｏリング又は、弾性体の環６の破損等の修理が発生した場合の交換が容易になった。そして、技術的に難しい接続輪環４のロウ付け作業を省いたことで、安価でデザイン性を向上させたスライド金具を提供することが可能となった。
【００１０】
　また、Ｏリング又は、弾性体の環６の外径寸法を枠２ａ、２ｂの外径寸法より大きくしたことにより、Ｏリング又は、弾性体の環６が肌と接して摩擦抵抗が働き、着用時のズレ低減効果が得られ、スライド金具の位置を直す煩わしさが減少した。さらに、Ｏリング又は、弾性体の環６にカラー色を持たせることで趣味性を従来のスライド金具より一段と向上させることができた。
【考案を実施するための最良の形態】
【００１１】
　以下、図面を用いて本考案の実地形態を詳細に説明する。
【００１２】
　図１は、本考案スライド金具要部の１実施例の正面図であって、図２は右側面図、図３は平面図である。
【００１３】
　スライド金具本体１の製造はロストワックス鋳造方法を用い、図１のスライド金具本体１は、枠２ａ、２ｂを平行に設け、前記枠２ａ、２ｂと、接続環部４を一体で形成、枠２ａ、２ｂには貫通したチェーン挿入孔３ａ、３ｂを設け、接続環部４には孔５を設けた。
【００１４】
　そして、接続環部４に輪環１６を介して引輪金具１３を連結し、枠２ａ、２ｂの間にＯリング又は、弾性体の環６を配設し、チェーン７の一端を枠２ａに設けたチェーン挿入孔３ａより、Ｏリング又は、弾性体の環６と、枠２ｂに設けたチェーン挿入孔３ｂを貫通させることでＯリング又は、弾性体の環６の弾性により、スライド金具本体１をチェーン７上を自由に摺動、且つ、任意の場所にて係止できる。
【００１５】
　図４は、上記のチェーン７に引輪連結プレート１４、抜け防止プレート１５を用いてネックレスチェーン２０を形成した本考案の一実施形態例を示す全体図であり、前記述のネックレスチェーン２０の一端に輪環１６を介して引輪連結プレート１４を連結、もう一端にはを連結環１６を介してチェーン抜け防止プレート１５を連結、引輪金具１３と引輪連結プレート１４を連結することで輪が形成され、Ｏリング又は、弾性体の環６の弾性によってスライド金具本体１を摺動させて任意の位置で係止させることで輪の大きさを自在に変えることができる。
【００１６】
　Ｏリング又は、弾性体の環６の交換を行う場合は、ネックレスチェーン２０の一端に輪環１６を介して取り付けてあるチェーン抜け防止プレート１５を取り外して、ネックレスチェーン２０を枠２ａと、Ｏリング又は、弾性体の環６と、枠２ｂより引き抜くことで、Ｏリング又は、弾性体の環６を容易に取り外すことができる。
【００１７】
　図５は、本考案のスライド金具本体１を用いて、ネックレスチェーン２０を着用した一実施例を示し、Ｏリング又は、弾性体の環６を枠２ａ、２ｂの外径寸法より大きくしたことにより、Ｏリング又は、弾性体の環６が肌と接して摩擦抵抗が働き、スライド金具本体１が身体の側面、前面等へ移動する低減効果が得られた。
【図面の簡単な説明】
【００１８】
【図１】本考案のスライド金具要部の拡大正面図である。
【図２】本考案のスライド金具要部の拡大右側面図である。
【図３】本考案のスライド金具要部の平面図である。
【図４】本考案のスライド金具をネックレスチェーンに取り付けた一実施例を示す全体図である。
【図５】本考案のスライド金具を用いて、ネックレスチェーンを着用した一実施例の概念図である。
【図６】従来の中空体の丸玉を用いた金具要部の拡大断面図である。
【符号の説明】
【００１９】
　１　　　スライド金具本体
　２ａ　　枠
　２ｂ　　枠
　３ａ　　チェーン挿入孔
　３ｂ　　チェーン挿入孔
　４　　　接続環部
　５　　　孔
　６　　　Ｏリング又は、弾性体の環
　７　　　チェーン
１０　　　中空体の丸玉
１１　　　中空の弾性体
１２ａ　　チェーン挿入孔
１２ｂ　　チェーン挿入孔
１３　　　引輪金具
１４　　　引輪連結プレート
１５　　　抜け防止プレート
１６　　　輪環
１７　　　接続輪環
２０　　　ネックレスチェーン
【図１】
0003099456.tif 000003
【図２】
0003099456.tif 000004
【図３】
0003099456.tif 000005
【図４】
0003099456.tif 000006
【図５】
0003099456.tif 000007
【図６】
0003099456.tif 000008